(57)【要約】【課題】髪梳き作業時はバリカン刃と毛髪とが干渉せず、カット作業時にのみバリカン刃と毛髪とが干渉してカット作業を行えるヘアカッター装置を提供する。【解決手段】毛髪を梳く及びカットする機構を有する矩形箱型の髪切り基体と、使用者が把持するグリップ部と、により構成されたヘアカッター装置において、毛髪を梳くための櫛歯を有する櫛体と、毛髪をカットするバリカン刃体と、毛髪と前記バリカン刃体との干渉を防ぐカバー体と、を備え、櫛体、バリカン刃体及びカバー体を髪切り基体の長辺一端部に突出して重ねて配設し、カバー体は、バリカン刃体の非作動時は、バリカン刃体の先端縁と毛髪とが干渉しないように、バリカン刃体の先端縁より先に髪切り基体から突出動作し、バリカン刃体の作動時は、バリカン刃体の先端縁が毛髪に干渉するように、髪切り基体側に収納動作することを特徴とするヘアカッター装置とした。【選択図】図１
2020014538.tif 000002
【特許請求の範囲】
【請求項１】
毛髪を梳く及びカットする機構を有する矩形箱型の髪切り基体と、
使用者が把持するグリップ部と、により構成されたヘアカッター装置において、
毛髪を梳くための櫛歯を有する櫛体と
毛髪をカットするバリカン刃体と、
毛髪と前記バリカン刃体との干渉を防ぐカバー体と、
を、を備え、
前記櫛体、前記バリカン刃体及び前記カバー体を前記髪切り基体の長辺一端部に突出して重ねて配設し、
前記カバー体は、前記バリカン刃体の非作動時は、前記バリカン刃体の先端縁と毛髪とが干渉しないように、前記バリカン刃体の先端縁より先に前記髪切り基体から突出動作し、前記バリカン刃体の作動時は、前記バリカン刃体の先端縁が毛髪に干渉するように、前記髪切り基体側に収納動作することを特徴とするヘアカッター装置。
【請求項２】
前記カバー体の前記髪切り基体からの突出動作や前記髪切り基体への収容動作は、コイルバネによる付勢力や電磁石を用いて作動させるように構成したことを特徴とする請求項１に記載のヘアカッター装置。
【請求項３】
前記バリカン刃体は、電動機構を介して髪切り作動するように構成したことを特徴とする請求項１又は請求項２に記載のヘアカッター装置。
【発明の詳細な説明】
【技術分野】
【０００１】
本発明は、髪を梳く作業と髪をカットする作業とを片手で行えるヘアカッター装置に関する。
【背景技術】
【０００２】
従来、理容師による散髪時には、理容師が片手で櫛（コーム）を使って毛髪を梳き、カットする分の所定の長さの毛髪を櫛や片手の指で挟み、もう一方の片手でハサミを保持してカットする作業を複数回繰り返し行っている。このような一連の作業は、理容師が櫛とハサミをそれぞれ両手に持って別々に行ったり、理容師の利き手に櫛やはさみを持ち替えて行ったりするものである。
【０００３】
また、毛髪の梳き作業とカット作業は１回の散髪で何百回何千回と繰り返して行われており、理容師の体力的負荷は想像以上である。さらに、ハサミで毛髪をカットする作業においては、１回の散髪で何百回何千回と繰り返して行われるため、理容師の手（特に親指等）に係る負担が大きく、理容師の職業病ともいえる利き手の指の腱鞘炎や関節痛の原因となっている。このため、散髪にかかる毛髪を梳く作業とカットする作業とを１つの道具で同時に実現するものが望まれていた。
【０００４】
このため、本願出願人は、櫛の基端とバリカン刃とを重ねた一体構造を考案し、この一体構造により梳き作業とカット作業とを片手で行うことで、散髪にかかる理容師の労力負荷を可及的に減らすことができるシザーコーム（ヘアカッター装置）を提案した。（特許文献１参照。）
【先行技術文献】
【特許文献】
【０００５】
【特許文献１】特開２０１７−０３８９０２号公報
【発明の概要】
【発明が解決しようとする課題】
【０００６】
しかしながら、特許文献１に記載のシザーコーム（ヘアカッター装置）では、バリカン刃と一体の櫛で毛髪を梳く際、カットする道具であるバリカン刃の先端縁を櫛の基端に重ねた構造のため、バリカン刃の先端縁が毛髪と干渉して、バリカン刃が梳く毛髪に引っかかり髪梳きが円滑に行えないばかりか、髪梳き作業時に毛髪を痛めてしまう恐れがあった。
【０００７】
本発明は、上記問題点を改良し、髪梳き作業時はバリカン刃と毛髪とが干渉せず、カット作業時にのみバリカン刃と毛髪とが干渉して片手でカット作業を行えるヘアカッター装置を提供することを目的とする。
【課題を解決するための手段】
【０００８】
上記目的を達成するために、本発明は以下の技術を提供する。
【０００９】
本発明は、毛髪を梳く及びカットする機構を有する矩形箱型の髪切り基体と、使用者が把持するグリップ部と、により構成されたヘアカッター装置において、毛髪を梳くための櫛歯を有する櫛体と、毛髪をカットするバリカン刃体と、毛髪と前記バリカン刃体との干渉を防ぐカバー体と、を備え、前記櫛体、前記バリカン刃体及び前記カバー体を前記髪切り基体の長辺一端部に突出して重ねて配設し、前記カバー体は、前記バリカン刃体の非作動時は、前記バリカン刃体の先端縁と毛髪とが干渉しないように、前記バリカン刃体の先端縁より先に前記髪切り基体から突出動作し、前記バリカン刃体の作動時は、前記バリカン刃体の先端縁が毛髪に干渉するように、前記髪切り基体側に収納動作することを特徴とするヘアカッター装置とした。
【００１０】
また、前記カバー体の前記髪切り基体からの突出動作や前記髪切り基体への収容動作は、コイルバネによる付勢力や電磁石を用いて作動させるように構成したことを特徴とする。
【００１１】
また、前記バリカン刃体は、電動機構を介して髪切り作動するように構成したことを特徴とする。
【発明の効果】
【００１２】
本発明は、毛髪を梳く及びカットする機構を有する矩形箱型の髪切り基体と、使用者が把持するグリップ部と、により構成されたヘアカッター装置において、毛髪を梳くための櫛歯を有する櫛体と、毛髪をカットするバリカン刃体と、毛髪とバリカン刃体との干渉を防ぐカバー体と、を備え、櫛体、バリカン刃体及びカバー体を髪切り基体の長辺一端部に突出して重ねて配設し、カバー体は、バリカン刃体の非作動時は、バリカン刃体の先端縁と毛髪とが干渉しないように、バリカン刃体の先端縁より先に髪切り基体から突出動作し、バリカン刃体の作動時は、バリカン刃体の先端縁が毛髪に干渉するように、髪切り基体側に収納動作することを特徴とするヘアカッター装置としている。
【００１３】
上記構成により、櫛体による毛髪の梳作動時には、カバー体がバリカン刃体と毛髪が干渉しないように、髪をカットするバリカン刃体の先端縁（刃先）より先に突出動作する。これにより、毛髪を梳く作業を行う場合は、毛髪とバリカン刃体の先端縁との接触を妨げられる位置、言い換えると、バリカン刃体の先端縁をカバー体で覆う位置にカバー体が突出動作するため、毛髪がバリカン刃体の先端縁に設けられた刃先に引っかかることを防ぐことができる。一方、髪切り作動時には、カバー体を髪切り基体内に収容動作することで、バリカン刃体の先端縁を露出することになり、この状態でバリカン刃体を作動させることで、毛髪とバリカン刃体とが接触し、バリカン刃体の先端縁（刃先）による髪切り作業を行うことができる。
【００１４】
これにより、髪梳き作業時はバリカン刃体の先端縁（刃先）と毛髪とが干渉せず、髪切り（カット）作業時にのみバリカン刃体の先端縁（刃先）と毛髪とが干渉して髪切り作業を行えるヘアカッター装置を提供することができるので、髪梳き作業時にバリカン刃体の先端縁（刃先）と毛髪とが接触せずに髪梳きが円滑に行え、毛髪を痛めてしまう恐れがない。
【００１５】
また、カバー体の髪切り基体への出没動作（突出動作及び収容動作）は、コイルバネ等による付勢力や電流を通すと磁石の働きをする電磁石を用いて作動させるように構成している。具体的には、髪梳き作業時は、カバー体の先端縁がバリカン刃体の先端縁に設けられた刃先を覆う位置に突出した状態となるようにコイルバネにより付勢する。一方、髪切り作業時は、カバー体の先端縁がバリカン刃体の先端縁に設けられた刃先を露出させる状態となるように維持するため、電磁石等を作動させてカバー体を髪切り基体の内部に収容動作させる。
【００１６】
また、バリカン刃体（バリカン刃体の先端縁（刃先））は電動機構を介して作動するように構成している。一般に、バリカン刃体は先端縁に複数の山形を有する摺動刃と同様に複数の山形を有する固定刃とが一体に重ねて形成され、固定刃に対して摺動刃が摺動することで、摺動刃と固定刃との山形の先端縁（刃先）により毛髪が挟まれてカットされる構成である。本実施形態においては、この摺動刃の固定刃に対する摺動を、例えば、電動モータの回転を直線往復に変換する変換機構を設け、ヘアカッター装置に収容された電源（電池や蓄電池）により上記電動モータを回転作動させ、上記変換機構により電動モータの回転を直線往復動作に変換して、この直線往復動作を摺動刃に伝達する構成としている。
【００１７】
これにより、散髪時における整髪（髪梳き）作業と髪切り作業とを、理容師が片手で把持したヘアカッター装置で行うことができるとともに、ハサミで毛髪をカットする作業を電動で行えるので、理容師の手（特に親指等）に係る負担を軽減することができ、理容師の職業病ともいえる利き手の指の腱鞘炎や関節痛を防ぐことができる。
【図面の簡単な説明】
【００１８】
【図１】本実施形態に係るヘアカッター装置の外観を示す斜視図である。
【図２】本実施形態に係るヘアカッター装置の構成を示す一部を切欠いた正面図である。
【図３】本実施形態に係るヘアカッター装置の内部を示す側面図である。
【図４】本実施形態に係るヘアカッター装置のバリカン刃体の動作を説明する側面図である。
【図５】本実施形態に係るヘアカッター装置のカバー体の動作を説明する側面図である。
【図６】本実施形態に係るヘアカッター装置の使用例を説明する図である。
【図７】本実施形態に係るヘアカッター装置の変形例を説明する図である。
【発明を実施するための形態】
【００１９】
本発明は、毛髪を梳く及びカットする機構を有する矩形箱型の髪切り基体と、使用者が把持するグリップ部と、により構成されたヘアカッター装置において、毛髪を梳くための櫛歯を有する櫛体と、毛髪をカットするバリカン刃体と、毛髪とバリカン刃体との干渉を防ぐカバー体と、を備え、櫛体、バリカン刃体及びカバー体を髪切り基体の長辺一端部に突出して重ねて配設し、カバー体は、バリカン刃体の非作動時は、バリカン刃体の先端縁と毛髪とが干渉しないように、バリカン刃体の先端縁より先に髪切り基体から突出動作し、バリカン刃体の作動時は、バリカン刃体の先端縁が毛髪に干渉するように、髪切り基体側に収納動作することを特徴とするヘアカッター装置に関するものである。
【００２０】
以下、図１〜図７を参照して、本発明におけるヘアカッター装置の実施形態を詳説する。図１は、本実施形態に係るヘアカッター装置の外観を示す斜視図である。図２は、本実施形態に係るヘアカッター装置の構成を示す一部を切欠いた正面図である。図３は、本実施形態に係るヘアカッター装置の内部を示す側面図である。図４は、本実施形態に係るヘアカッター装置のバリカン刃体の動作を説明する側面図である。図５は、本実施形態に係るヘアカッター装置のカバー体の動作を説明する側面図である。図６は、本実施形態に係るヘアカッター装置の使用例を説明する図である。図７は、本実施形態に係るヘアカッター装置の変形例を説明する図である。
【００２１】
図１〜図３に示すように、本実施形態のヘアカッター装置１は、大別して毛髪を梳く及びカットする機構を有する矩形箱型の髪切り基体２と、使用者（例えば、理容師）が片手で把持するグリップ部３により構成し、この髪切り基体２とグリップ部３とを略９０度屈曲させて連結した所謂ガンタイプの形状としている。この構成により、使用者（例えば、理容師）が利き手（例えば、右手）で把持して使い易い形状としている。
【００２２】
矩形箱型の髪切り基体２には、毛髪を梳くための櫛歯５ａを有する櫛体５と、毛髪をカットする山形の先端縁６ａ（所謂、刃先）を有するバリカン刃体６と、毛髪とバリカン刃体６との干渉を防ぐカバー体４とが配設されている。図２に示すように、矩形箱型の髪切り基体２の長辺一端部の下部には開口部２ａが形成され、この開口部２ａから下に突出するように、櫛体５を真ん中としてバリカン刃体６とカバー体４とで櫛体５を挟むように重ねて配設されている。このとき、バリカン刃体６の先端縁６ａよりもカバー体４の先端部４ａが下方（図１では下方）に突出した状態となるように配設されている。これにより、頭髪を櫛体５の櫛歯５ａで梳くときに、頭髪とバリカン刃体６の先端縁６ａが干渉（つまり、接触）して先端縁６ａにより頭髪を傷つけることがないようにしている。
【００２３】
グリップ部３には、バリカン刃体６の電動動作やカバー体４の髪切り基体２への収納動作を操作するスイッチ７が、グリップ部３を把持する使用者の指で操作可能な位置（例えば、ガンタイプの引き金に相当する位置）に設けられている。グリップ部３の内部３ａには、バリカン刃体６の髪切り動作を行うために電動モータＭ（図３参照）やカバー体４の髪切り基体２への出没動作を行うためのカバー体駆動部９（図５参照）に電気を供給する電源Ｂが内蔵されている。
【００２４】
この電源Ｂとしては、例えば、複数（例えば、２個）の単三電池を収容できる電池ケースＢａ（電池ボックス）等が好適に用いられ、この電池ケースＢａは、消耗した電池を交換可能なようにグリップ部３の内部３ａに交換カバー（図示せず）で覆われて配設されている。なお、この電源Ｂとしては、充電可能なバッテリー（二次電池、蓄電池）等を用いてもよい。そして、グリップ部３のスイッチ７を使用者（例えば、理容師）が操作（具体的には押下）することにより、電動モータＭやカバー体駆動部９に電気が供給されて、バリカン刃体６の電動動作やカバー体４の髪切り基体２への収納動作が行われる。なお、以下の説明では、使用者によるグリップ部３のスイッチ７の操作が行われている間、バリカン刃体６の電動動作やカバー体４の髪切り基体２への収納動作が実行され、使用者によるグリップ部３のスイッチ７の操作が解除されると、バリカン刃体６の電動動作は停止し、カバー体４の髪切り基体２への収納動作はスイッチ７の操作前の状態（つまり、突出動作）に戻る。
【００２５】
図３に示すように、矩形箱型の髪切り基体２の内部空間２ｂには、バリカン刃体６を電動で髪切り動作（電動動作）させるための電動機構として、電動モータＭ、電動モータＭの回転動作を直線往復動作に変換する変換機構Ｈ（図３参照）、変換機構Ｈによる直線往復動作を摺動刃６１に伝達するバリカン刃体駆動部８（図３参照）等が内蔵されている。また、カバー体４を髪切り基体２の開口部２ａから髪切り基体２の内部空間２ｂへの出没動作（突出動作及び収容動作）させるカバー体駆動部９（図５参照）も内蔵されている。
【００２６】
バリカン刃体６は刃先である先端縁６ａに複数の山形を形成した摺動刃６１と、摺動刃６１と同様に先端縁６ａに複数の山形を形成した固定刃６２とを一体に重ねて構成されている。そして、この固定刃６２に対して摺動刃６１が、固定刃６２との当接面を横方向（図３中では水平方向）に摺動することで、摺動刃６１と固定刃６２との山形の先端縁６ａ（刃先）により毛髪が挟まれてカットされる。
【００２７】
この摺動刃６１の固定刃６２に対する摺動は、図３に示すように、電動モータＭの回転動作を直線往復動作に変換する変換機構Ｈと、この変換機構Ｈによる直線往復動作を摺動刃６１に伝達するバリカン刃体駆動部８により実行される。すなわち、変換機構Ｈは、図３の変換機構Ｈ拡大図に示すように、電動モータＭと回転軸８１ａを介して連結されている円盤状の回転体８１と、回転体８１の回転運動を直線往復動作に変換する円盤状の直線往復体８２とを内部Ｈａに収容して構成されている。
【００２８】
さらに、回転体８１と直線往復体８２と対抗面には、Ｎ極とＳ極が等分割（例えば、２分割）で形成された磁石Ｍｇがそれぞれ設けられている。この構成により、電動モータＭが回転すると回転軸８１ａに連結された回転体８１は垂直方向に回転する。このとき、回転体８１の磁石Ｍｇは、回転体８１の回転に伴い上下に磁極が入れ替わる。すると、直線往復体８２の磁石Ｍｇは、回転体８１の磁石Ｍｇと同極（Ｓ極とＳ極、Ｎ極とＮ極）の位置では、反発力で回転体８１から離れる方向に、異極（Ｓ極とＮ極）の位置では、引き合いで回転体８１に近づく方向に移動する。これにより、直線往復体８２は、回転体８１の回転に伴い、水平方向に回転体８１に近づいたり離れたりする往復動作する。
【００２９】
すなわち、本実施形態の変換機構Ｈは、回転体８１の回転による磁石Ｍｇの磁極（Ｓ極、Ｎ極）の変動に応じて、直線往復体８２の磁石Ｍｇが近づいたり離れたりする磁石の特性を利用して、回転体８１の回転動作を直線往復体８２の水平方向への直線往復動作に変換する構成としている。
【００３０】
変換機構Ｈによる直線往復体８２の水平方向の直線往復動作は、直線往復体８２に連結された上下二本の連結棒８２ａにより、変換機構Ｈ外部の運動伝達体８２ｂに伝達される。このように、直線往復体８２の水平方向の直線往復動作を上下二本の連結棒８２ａを介して変換機構Ｈ外部の運動伝達体８２ｂに伝達する構成とすることにより、回転体８１の回転につられて直線往復体８２が回転することなく、回転体８１の回転動作を直線往復体８２の水平方向への直線往復動作に変換することができる。
【００３１】
運動伝達体８２ｂは、この変換機構Ｈによる直線往復動作を摺動刃６１に伝達するバリカン刃体駆動部８を構成する。バリカン刃体駆動部８は、運動伝達体８２ｂと、振動棒８３と、振動体６１ｂとにより構成されている。振動棒８３の一端は、運動伝達体８２ｂの中央部の連結部８２ｃに連結されており、振動棒８３の他端は振動体６１ｂに連結されている。振動体６１ｂは、バリカン刃体６を構成する摺動刃６１の略中央部に固設されている。
【００３２】
図３に示すように、振動体６１ｂの左右上部には水平方向にコイルスプリング８４の両端部８４ａが連結されている。コイルスプリング８４は、一本の鋼線の両端近傍をコイルスプリング状に形成し、両端を直線状に垂下して振動体６１ｂの左右端から所定の距離を開けて振動体６１ｂの上部に連結している。コイルスプリング８４の中央部は水平に直線状に形成され、髪切り基体２の内部空間２ｂに連結固定されている。コイルスプリング８４は、バリカン刃体駆動部８の水平方向への直線往復動作（所謂、振動）を増幅させるためのものである。
【００３３】
また、コイルスプリング８４の両端部８４ａは、バリカン刃体６を構成する摺動刃６１の略中央部を、振動体６１ｂを介して固定刃６２に所定の押圧力で密着させる機能を有する。すなわち、図３のＡ−Ａ断念図に示すように、コイルスプリング８４の中央部は髪切り基体２の内部空間２ｂに正面視で略中央部に連結固定され、コイルスプリング８４の両端部８４ａは、それぞれ髪切り基体２の内部空間２ｂの中央部から斜め外側下方に直線状に垂下されて、振動体６１ｂを内部空間２ｂの中央部側に押圧するように連結されている。この構成により、バリカン刃体６を構成する摺動刃６１の略中央部は、振動体６１ｂを介して固定刃６２に対して所定の押圧力で密着させることができる。
【００３４】
上記構成により、変換機構Ｈにおいて、電動モータＭによる回転体８１の回転動作は、直線往復体８２の水平方向への直線往復動作（振動）に変換される。さらに、バリカン刃体駆動部８において、直線往復体８２の水平方向への直線往復動作（振動）は、運動伝達体８２ｂ、振動棒８３及び振動体６１ｂを介して摺動刃６１に伝達されることになる。これにより、摺動刃６１は、固定刃６２との当接面を所定の方向（図３中では水平方向）に摺動することになる。
【００３５】
以下、図４を参照して、上述した変換機構Ｈ及びバリカン刃体駆動部８によるバリカン刃体６の作動を説明する。図４（ａ）に示すように、グリップ部３のスイッチ７を使用者（例えば、理容師）が操作していない状態では、バリカン刃体６は先端縁６ａに複数の山形を形成した摺動刃６１と固定刃６２とが一体に重なった状態で非作動の状態である。この状態では、図５（ａ）に示すように、頭髪を櫛体５の櫛歯５ａで梳くときに、頭髪とバリカン刃体６の先端縁６ａが接触して頭髪を傷つけることがないように、バリカン刃体６の先端縁６ａよりもカバー体４の先端部４ａが下方に突出している。
【００３６】
図４（ｂ）に示すように、グリップ部３のスイッチ７を使用者（例えば、理容師）が操作（つまり、押下）すると、バリカン刃体６の摺動刃６１は、上述した動作機構（変換機構Ｈ及びバリカン刃体駆動部８）により、固定刃６２と重なった状態で、固定刃６２との当接面を水平方向に直線往復動作（摺動）する。これにより、摺動刃６１と固定刃６２に形成された山形の先端縁６ａ（刃先）に毛髪が挟持されて切断されることになる。この状態では、図５（ｂ）に示すように、カバー体４は、髪切り基体２の内部空間２ｂ内に収容されて、カバー体４の先端部４ａが上方に移動する。これにより、櫛体５の基端に設けられたバリカン刃体６の先端縁６ａが露出し、毛髪とバリカン刃体６の先端縁６ａとが接触する状態となる。
【００３７】
なお、本実施形態においては、上述した変換機構Ｈにより、電動モータＭの回転動作を直線往復動作に変換するように構成しているが、変換機構Ｈの構成は、電動モータＭの回転動作を直線往復動作に変換可能な構成であればよく、上記実施形態に限定されるものではない。
【００３８】
以下、図５を参照して、本実施形態のカバー体４の髪切り基体２からの出没作動を行うカバー体駆動部９の構成とカバー体４の動作を説明する。図５に示すように、カバー体４の基端部（図中上端部）の左右端近傍には、左カバー体駆動部９Ｌと右カバー体駆動部９Ｒとがそれぞれ配設されている。すなわち、本実施形態においては、カバー体４の基端部（図中上端部）の左右端近傍上部に配設された左カバー体駆動部９Ｌと右カバー体駆動部９Ｒとによりカバー体駆動部９を構成している。
【００３９】
なお、左カバー体駆動部９Ｌと右カバー体駆動部９Ｒの構成は同一の構成としている。このため、以下の説明では、左カバー体駆動部９Ｌの構成のみを説明する。左カバー体駆動部９Ｌは、カバー体４の基端部の左端近傍に配設されている。左カバー体駆動部９Ｌは、スプリング９ａ、電磁石９ｂ、磁性体９ｃ、支持軸９ｄにより構成されている。
【００４０】
具体的には、カバー体４の基端部の左端近傍に円筒状の磁性体９ｃ（例えば、鉄）を固設し、その上部に所定の距離を開けて円環状の電磁石９ｂを髪切り基体２の内部空間２ｂに固設している。上下の電磁石９ｂと磁性体９ｃとの間には支持軸９ｄにより、磁性体９ｃが上下に移動可能に連結され、支持軸９ｄの外周にはコイル状のスプリング９ａが上下の電磁石９ｂと磁性体９ｃとの間に伸縮自在に設けられている。
【００４１】
上記構成によるカバー体駆動部９により、図５（ａ）に示すように、グリップ部３のスイッチ７を使用者（例えば、理容師）が操作していない状態（つまり、押下していない状態）では、支持軸９ｄの外周に配設されたスプリング９ａの付勢力により、磁性体９ｃは下方に付勢され、バリカン刃体６の先端縁６ａよりもカバー体４の先端部４ａが下方に突出した状態が維持される。この状態では、毛髪を梳く作業において、毛髪とバリカン刃体６の先端縁６ａとの干渉がカバー体４の先端部４ａにより妨げられるので、毛髪を傷つけることを防止できる。
【００４２】
図５（ｂ）に示すように、グリップ部３のスイッチ７を使用者（例えば、理容師）が操作（つまり、押下）すると、カバー体駆動部９を構成する電磁石９ｂに、電源Ｂに接続されている配線（図示せず）から電気が供給されて電磁石９ｂが磁力を帯びる。すると磁性体９ｃがスプリング９ａの付勢力に逆らって電磁石９ｂと近接するように上方に移動する。これにより、カバー体４は、髪切り基体２の内部空間２ｂ内に収容される方向（図中では上方）に移動し、バリカン刃体６の先端縁６ａが櫛体５の基端部において露出する。この状態では、上記図４（ｂ）で説明したように、バリカン刃体６の摺動刃６１は、上述した動作機構（変換機構Ｈ及びバリカン刃体駆動部８）により、固定刃６２と重なった状態で、固定刃６２との当接面を水平方向に直線往復動作（摺動）しているので、毛髪と接触したバリカン刃体６の山形の先端縁６ａに挟持されて毛髪が切断されることになる。
【００４３】
なお、上述した電磁石９ｂは、通電した場合に、スプリング９ａの付勢力に逆らって下方に位置する磁性体９ｃを持ち上げることができる強度の磁力を帯びることが可能な電磁石である。
【００４４】
なお、本実施形態においては、上述したカバー体駆動部９により、コイルバネによる付勢力を用いてカバー体４の髪切り基体２からの突出動作を行い、電磁石９ｂの磁力により髪切り基体２への収容動作を行うように構成しているが、カバー体駆動部９の構成は、カバー体４を髪切り基体２へ出没動作可能な構成であればよく、上記実施形態に限定されるものではない。
【００４５】
以下、図６を参照して、本実施形態におけるヘアカッター装置１を用いて、使用者が頭髪を梳く作業と毛髪をカットとする作業とを片手で行う工程を説明する。
【００４６】
図６（ａ）に示すように、使用者が顧客Ｐの毛髪を梳く場合は、使用者は右手ＲＨでヘアカッター装置１のグリップ部３のスイッチ７を操作しない状態で把持し、適量の毛髪を櫛体５で上部から下部に梳く。この状態では、カバー体４の先端部４ａは、バリカン刃体６の先端縁６ａよりも下部に突出しているので、毛髪とバリカン刃体６の先端縁６ａとの干渉が妨げられ、毛髪を傷つけることがない。
【００４７】
図６（ｂ）に示すように、使用者が顧客Ｐの毛髪を梳いた状態で、毛髪をカットする位置で、ヘアカッター装置１の位置決めを行い、グリップ部３のスイッチ７を、例えば、右手ＲＨの人差し指等で操作（つまり、押下）する。これにより、図６（ｃ）に示すように、カバー体４の先端部４ａは、髪切り基体２の内部空間２ｂ内に収容され、バリカン刃体６の先端縁６ａが櫛体５の基端部に露出する。さらに、バリカン刃体６の摺動刃６１が水平方向に固定刃６２との当接面を摺動して直線往復動作することにより、図６（ｃ）に示す毛髪をカットする位置で位置決めされた分の毛髪がバリカン刃体６の山形の先端縁６ａに挟持されて毛髪が切断（カット）される。
【００４８】
上述してきたように、本実施形態のヘアカッター装置１によれば、従来では、使用者が両手で何百回何千回と繰り返して行なっていた毛髪の梳き作業とカット作業とをヘアカッター装置１を片手で操作するだけで行うことが可能となり使用者（理容師）の体力的負荷を軽減することができる。さらに、毛髪の梳き作業時はヘアカッター装置１のバリカン刃体６の先端縁６ａと毛髪との干渉をカバー体４の先端部４ａにより防ぐことで毛髪を傷つけることがない。
【００４９】
以下、図７を参照して、本実施形態におけるヘアカッター装置１の変形例を説明する。なお、以下の変形例では、上述した実施形態と同じ構成の説明は省略し、異なる点のみ重点的に説明する。
【００５０】
変形例のヘアカッター装置１は、上述した実施形態と同様に、大別して毛髪を梳く及びカットする機構を有する矩形箱型の髪切り基体２と、使用者（例えば、理容師）が把持するグリップ部３により構成されている。なお、図７に示すように、この変形例では、髪切り基体２とグリップ部３とを一本の直線状のコームとしてヘアカッター装置１を形成している。つまり、ヘアカッター装置１は、従来理容師等が使い慣れた一本の直線状のコームと略同形状とすることができる。これにより、使用者（理容師）は従来の形状と略形状のヘアカッター装置１を使用することになるので使い勝手が良い。
【００５１】
但し、矩形箱型の髪切り基体２には、毛髪を梳くための櫛体５、バリカン刃体６、カバー体４の基端部や各種動作機構（バリカン刃体６を電動動作させための電動モータＭ、電動モータＭの回転動作を直線往復動作に変換する変換機構Ｈ、変換機構Ｈによる直線往復動作を摺動刃６１に伝達するバリカン刃体駆動部８、カバー体４の髪切り基体２への出没動作（突出動作及び収容動作）させるカバー体駆動部９）が上述した実施形態と同様に、髪切り基体２の内部空間２ｂに内蔵されているため、従来のコーム（薄手の櫛状）とは異なり厚みがある形状となる。また、グリップ部３の下部にはスイッチ７が設けられ、グリップ部３の内部３ａには、バリカン刃体６の髪切り動作を行うために電動モータＭやカバー体４の髪切り基体２への出没動作を行うためのカバー体駆動部９に電気を供給する電源Ｂが内蔵されているため、グリップ部３においても従来のコームとは異なり厚みがある形状となる。
【００５２】
この変形例によれば、従来のコーム（薄手の櫛状）とは異なり厚みがあるヘアカッター装置１ではあるが、上述した実施形態と同様に、使用者が両手で繰り返して行なっていた毛髪の梳き作業とカット作業を、１つの装置であるヘアカッター装置１を使用して行うことが可能である。また、毛髪の梳き作業時はヘアカッター装置１のバリカン刃体６の先端縁６ａと毛髪との干渉を防ぐことで毛髪を傷つけることがなく、さらに、毛髪のカット作業時にのみバリカン刃体６の先端縁６ａと毛髪とを干渉させてカット作業を片手で行うことができる。
【００５３】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００５４】
１  ヘアカッター装置
２  髪切り基体
３  グリップ部
４  カバー体
５  櫛体
６  バリカン刃体
７  スイッチ
８  バリカン刃体駆動部
９  カバー体駆動部
Ｂ  電源
Ｍ  電動モータ
Ｍｇ  磁石
Ｈ  変換機構
【図１】
2020014538.tif 000003
【図２】
2020014538.tif 000004
【図３】
2020014538.tif 000005
【図４】
2020014538.tif 000006
【図５】
2020014538.tif 000007
【図６】
2020014538.tif 000008
【図７】
2020014538.tif 000009
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
毛髪を梳く及びカットする機構を有する矩形箱型の髪切り基体と、
使用者が把持するグリップ部と、により構成されたヘアカッター装置において、
毛髪を梳くための櫛歯を有する櫛体と
毛髪をカットするバリカン刃体と、
毛髪と前記バリカン刃体との干渉を防ぐカバー体と、
を、を備え、
前記櫛体、前記バリカン刃体及び前記カバー体を前記髪切り基体の長辺一端部に突出して重ねて配設し、
前記カバー体は、前記バリカン刃体の非作動時は、前記バリカン刃体の先端縁と毛髪とが干渉しないように、前記バリカン刃体の先端縁より先に前記髪切り基体から突出動作し、前記バリカン刃体の作動時は、前記バリカン刃体の先端縁が毛髪に干渉するように、前記髪切り基体側に収納動作し、
前記髪切り基体の一端と前記グリップ部の一端とを略９０度屈曲させて連結するとともに、前記バリカン刃体の作動及び前記カバー体の出没動作を操作するスイッチを、前記グリップ部の前記髪切り基体との連結部近傍の当該グリップ部を把持する使用者の指で操作可能な位置に設けたことを特徴とするヘアカッター装置。
【請求項２】
前記カバー体の前記髪切り基体からの突出動作や前記髪切り基体への収容動作は、コイルバネによる付勢力や電磁石を用いて作動させるように構成したことを特徴とする請求項１に記載のヘアカッター装置。
【請求項３】
前記バリカン刃体は、電動機構を介して髪切り作動するように構成し、
前記電動機構は、
電動モータと、
磁石の極性の変化による引力及び斥力を利用して前記電動モータの回転動作を直線往復動作に変換する変換機構と、
前記変換機構による直線往復動作を前記バリカン刃体の摺動刃に伝達するバリカン刃体駆動部と、を備えたことを特徴とする請求項１又は請求項２に記載のヘアカッター装置。
【手続補正２】
【補正対象書類名】明細書
【補正対象項目名】０００９
【補正方法】変更
【補正の内容】
【０００９】
本発明は、毛髪を梳く及びカットする機構を有する矩形箱型の髪切り基体と、使用者が把持するグリップ部と、により構成されたヘアカッター装置において、毛髪を梳くための櫛歯を有する櫛体と、毛髪をカットするバリカン刃体と、毛髪と前記バリカン刃体との干渉を防ぐカバー体と、を備え、前記櫛体、前記バリカン刃体及び前記カバー体を前記髪切り基体の長辺一端部に突出して重ねて配設し、前記カバー体は、前記バリカン刃体の非作動時は、前記バリカン刃体の先端縁と毛髪とが干渉しないように、前記バリカン刃体の先端縁より先に前記髪切り基体から突出動作し、前記バリカン刃体の作動時は、前記バリカン刃体の先端縁が毛髪に干渉するように、前記髪切り基体側に収納動作し、前記髪切り基体の一端と前記グリップ部の一端とを略９０度屈曲させて連結するとともに、前記バリカン刃体の作動及び前記カバー体の出没動作を操作するスイッチを、前記グリップ部の前記髪切り基体との連結部近傍の当該グリップ部を把持する使用者の指で操作可能な位置に設けたことを特徴とするヘアカッター装置とした。
【手続補正３】
【補正対象書類名】明細書
【補正対象項目名】００１１
【補正方法】変更
【補正の内容】
【００１１】
また、前記バリカン刃体は、電動機構を介して髪切り作動するように構成し、前記電動機構は、電動モータと、磁石の極性の変化による引力及び斥力を利用して前記電動モータの回転動作を直線往復動作に変換する変換機構と、前記変換機構による直線往復動作を前記バリカン刃体の摺動刃に伝達するバリカン刃体駆動部と、を備えたことを特徴とする。
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
毛髪を梳く及びカットする機構を有する矩形箱型の髪切り基体と、
使用者が把持するグリップ部と、により構成されたヘアカッター装置において、
毛髪を梳くための櫛歯を有する櫛体と
毛髪をカットするバリカン刃体と、
毛髪と前記バリカン刃体との干渉を防ぐカバー体と、
を、を備え、
前記櫛体、前記バリカン刃体及び前記カバー体を前記髪切り基体の長辺一端部に突出して重ねて配設し、
前記カバー体は、前記バリカン刃体の非作動時は、前記バリカン刃体の先端縁と毛髪とが干渉しないように、前記バリカン刃体の先端縁より先に前記髪切り基体から突出動作し、前記バリカン刃体の作動時は、前記バリカン刃体の先端縁が毛髪に干渉するように、前記髪切り基体側に収納動作し、
前記髪切り基体の一端と前記グリップ部の一端とを略９０度屈曲させて連結するとともに、前記バリカン刃体の作動及び前記カバー体の出没動作を操作するスイッチを、前記グリップ部の前記髪切り基体との連結部近傍の当該グリップ部を把持する使用者の指で操作可能な位置に設け、
前記バリカン刃体は、電動機構を介して髪切り作動するように構成し、
前記電動機構は、
電動モータと、
磁石の極性の変化による引力及び斥力を利用して前記電動モータの回転動作を直線往復動作に変換する変換機構と、
前記変換機構による直線往復動作を前記バリカン刃体の摺動刃に伝達するバリカン刃体駆動部と、を備えたことを特徴とするヘアカッター装置。
【請求項２】
前記カバー体の前記髪切り基体からの突出動作や前記髪切り基体への収容動作は、コイルバネによる付勢力や電磁石を用いて作動させるように構成したことを特徴とする請求項１に記載のヘアカッター装置。
【手続補正２】
【補正対象書類名】明細書
【補正対象項目名】０００９
【補正方法】変更
【補正の内容】
【０００９】
本発明は、毛髪を梳く及びカットする機構を有する矩形箱型の髪切り基体と、使用者が把持するグリップ部と、により構成されたヘアカッター装置において、毛髪を梳くための櫛歯を有する櫛体と、毛髪をカットするバリカン刃体と、毛髪と前記バリカン刃体との干渉を防ぐカバー体と、を備え、前記櫛体、前記バリカン刃体及び前記カバー体を前記髪切り基体の長辺一端部に突出して重ねて配設し、前記カバー体は、前記バリカン刃体の非作動時は、前記バリカン刃体の先端縁と毛髪とが干渉しないように、前記バリカン刃体の先端縁より先に前記髪切り基体から突出動作し、前記バリカン刃体の作動時は、前記バリカン刃体の先端縁が毛髪に干渉するように、前記髪切り基体側に収納動作し、前記髪切り基体の一端と前記グリップ部の一端とを略９０度屈曲させて連結するとともに、前記バリカン刃体の作動及び前記カバー体の出没動作を操作するスイッチを、前記グリップ部の前記髪切り基体との連結部近傍の当該グリップ部を把持する使用者の指で操作可能な位置に設け、前記バリカン刃体は、電動機構を介して髪切り作動するように構成し、前記電動機構は、電動モータと、磁石の極性の変化による引力及び斥力を利用して前記電動モータの回転動作を直線往復動作に変換する変換機構と、前記変換機構による直線往復動作を前記バリカン刃体の摺動刃に伝達するバリカン刃体駆動部と、を備えたことを特徴とするヘアカッター装置とした。
【手続補正３】
【補正対象書類名】明細書
【補正対象項目名】００１１
【補正方法】削除
【補正の内容】